(57)【要約】【課題】  結露による画像の画質の低下を防止する感光材料処理装置を提供する。【解決手段】  本発明の感光材料処理装置の支持機構７０は、感光材料シート１６の表面１８の幅方向７２端部の一方に外周端が接触し、幅方向７２端部の一方の表面１８近傍にある一端８０Ｌと感光材料シート１６から離れた位置にある他端８２Ｌとを有するシャフト８４Ｌに取り付けられている、シャフト８４Ｌの中心線８６Ｌを中心として回転するローラ８８Ｌと、感光材料シート１６の表面１８の幅方向７２端部の他方に外周端が接触し、幅方向７２端部の他方の表面近傍にある一端８０Ｒと感光材料シート１６から離れた位置にある他端８２Ｒとを有するシャフト８４Ｒに取り付けられている、シャフト８４Ｒの中心線８６Ｒを中心として回転するローラ８８Ｒと、感光材料シート１６の表面１８と対向する裏面９０と接触する、ローラ８８Ｌ、８８Ｒと協働して感光材料シート１６を挟持する部材とを含む。【選択図】図３
2006071719.tif 000002
【特許請求の範囲】
【請求項１】
長尺状の感光材料シートを支持する支持機構を有し、支持機構に支持された状態で搬送しつつ感光材料シートの画像形成領域に処理液を塗布して処理を行う感光材料処理装置であって、
支持機構は、
感光材料シートの画像形成領域を有する表面の２つの幅方向端部の一方に外周端を介して接触し、幅方向端部の一方の表面近傍にある一端と感光材料シートから離れた位置にある他端とを有する第１のシャフトに取り付けられている、第１のシャフトの中心線を中心として回転する第１のローラと、
感光材料シートの表面の２つの幅方向端部の他方に外周端を介して接触し、幅方向端部の他方の表面近傍にある一端と感光材料シートから離れた位置にある他端とを有する第２のシャフトに取り付けられている、第２のシャフトの中心線を中心として回転する第２のローラと、
感光材料シートの表面と対向する裏面と接触する、第１のローラおよび第２のローラと協働して感光材料シートを挟持する部材とを含むことを特徴とする感光材料処理装置。
【請求項２】
支持機構の部材が、感光材料シートの裏面の２つの幅方向端部に外周端を介して接触し、第３のシャフトに取り付けられている、第３のシャフトの中心線を中心として回転する一対の第３のローラであることを特徴とする請求項１に記載の感光材料処理装置。
【請求項３】
第３のローラが、第３のシャフトに固定されており、
第３のシャフトが、回転駆動手段に駆動連結されていることを特徴とする請求項２に記載の感光材料処理装置。
【請求項４】
第１のローラおよび第２のローラの外周端が、幅方向に湾曲する曲面であることを特徴とする請求項１〜３のいずれか一に記載の感光材料処理装置。
【請求項５】
第１のローラおよび第２のローラを感光材料シートに向かって付勢する付勢手段を有することを特徴とする請求項１〜４のいずれか一に記載の感光材料処理装置。
【発明の詳細な説明】
【技術分野】
【０００１】
本発明は、長尺状の感光材料シートを搬送しつつ該シートの画像形成領域に処理液を塗布して処理を行う感光材料処理装置に関するものであり、特に、感光材料シートの支持機構に関する。
【背景技術】
【０００２】
近年、長尺状の感光材料シートを、現像液、漂白液、定着液、安定化液（まとめて、「処理液」と称する。）それぞれを充満した複数の処理液槽に順番に浸漬して処理を行う従来の感光材料処理装置の代わりに、感光材料シートの長尺方向（以下、「搬送方向」と称する。）に搬送中の感光材料シートの画像形成領域上に最小限の処理液それぞれを塗布（または噴霧）して処理を行う直接塗布式と呼ばれる感光材料処理装置が提案されている（例えば、特許文献１参照。）。これにより、処理液の量が少なくてすみ、処理液槽が不要になる。また、感光材料シートは、従来の感光材料処理装置のように複数の感光材料シートが過去に浸漬された、使い古された処理液を充満した処理液槽に浸漬されるのではなく、常に新しい処理液が塗布されて処理されるため、処理後の感光材料シートから得られる画像（例えば、印刷された画像）の画質も安定する。
【特許文献１】特開昭６２―９２９５７号公報
【０００３】
上述の直接塗布式の感光材料処理装置において、感光材料シートは、図５に概略的に示すような支持機構３００によって支持されている。支持機構３００は、２つのローラ３１０、３１２が固定され回転中心線３１４を有するシャフト３１６と、２つのローラ３１８、３２０が固定され回転中心線３２２を有するシャフト３２４とを含み、ローラ３１０とローラ３１８とが感光材料シート３２６の幅方向端部の一方を挟持するとともにローラ３１２とローラ３２０とが幅方向端部の他方を挟持することによって感光材料シート３２６を支持している。支持機構３００が感光材料シート３２６の幅方向端部で支持するのは、処理液３２８が塗布されている感光材料シート３２６の画像形成領域を含む幅方向中央部（幅方向端部以外の部分）３３０に触れないようにするためである。
【発明の開示】
【発明が解決しようとする課題】
【０００４】
しかしながら、処理液３２８を塗布された感光材料シート３２６は、処理液３２８の処理反応を促すために、ヒータなどの加熱手段によって加熱されて搬送されている。そのため、処理液に含まれる水分が蒸発し、感光材料シートの上方に存在する感光材料処理装置の構成要素の表面で結露することがある。特に、感光材料シートに最も接近して配置されている支持機構３００においては、処理液３２８が塗布された感光材料シート３２６上方近傍のシャフト３１６に結露が生じ、この結露した水分３３２が、感光材料シート３２６上の処理液３２８に滴下するおそれがある。その結果、水分３３２が滴下した処理液３２８の濃度にムラが生じ、感光材料シート３２６から得られる画像の画質が低下することがある。
【０００５】
そこで、本発明は、結露した水分が感光材料シート上の処理液に滴下することによる感光材料シートから得られる画像の画質の低下を防止する感光材料シート支持機構を有する感光材料処理装置を提供することを目的とする。
【課題を解決するための手段】
【０００６】
本発明の感光材料処理装置は、長尺状の感光材料シートを支持する支持機構を有し、支持機構に指示された状態で搬送しつつ感光材料シートの画像形成領域に処理液を塗布して処理を行う感光材料処理装置であって、支持機構は、感光材料シートの画像形成領域を有する表面の２つの幅方向端部の一方に外周端を介して接触し、幅方向端部の一方の表面近傍にある一端と感光材料シートから離れた位置にある他端とを有する第１のシャフトに取り付けられている、第１のシャフトの中心線を中心として回転する第１のローラと、感光材料シートの表面の２つの幅方向端部の他方に外周端を介して接触し、幅方向端部の他方の表面近傍にある一端と感光材料シートから離れた位置にある他端とを有する第２のシャフトに取り付けられている、第２のシャフトの中心線を中心として回転する第２のローラと、感光材料シートの表面と対向する裏面と接触する、第１のローラおよび第２のローラと協働して感光材料シートを挟持する部材とを含むことを特徴とする。
【０００７】
処理液が塗布された感光材料シートの上方近傍に支持機構のシャフトが存在しないため、シャフトで結露した水分の感光材料シートへの滴下がなくなる。
【０００８】
一実施形態において、支持機構の部材は、感光材料シートの裏面の２つの幅方向端部に外周端を介して接触し、第３のシャフトに取り付けられている、第３のシャフトの中心線を中心として回転する一対の第３のローラである。
【０００９】
感光材料シートは、回転するローラに挟持されて支持されるため、摩擦が少なく搬送される。
【００１０】
支持機構の第３のローラが第３のシャフトに固定されているとともに、第３のシャフトが回転駆動手段によって回転駆動されてもよい。
【００１１】
第３のローラが回転駆動手段によって回転駆動される第３のシャフトに固定されるため、感光材料シートは、第３のローラの回転力によって搬送される。
【００１２】
第１のローラおよび第２のローラの外周端は、幅方向に湾曲する曲面に形成しても良い。
【００１３】
第１のローラおよび第２のローラは、外周端が幅方向に湾曲する曲面であるために、感光材料シートと点接触する。その結果、第１のローラおよび第２のローラと感光材料シートとの摩擦を小さくすることができる。
【００１４】
第１のローラおよび第２のローラを感光材料シートに向かって付勢する付勢手段を設けても良い。
【００１５】
付勢手段により、異なる厚さを有する感光材料シートであっても、第１のローラおよびと第２のローラと部材は、感光材料シートを挟持することができる。
【発明の効果】
【００１６】
本発明によれば、感光材料シートに最も接近して配置される支持機構が感光材料シート上方にシャフトを有さないため、シャフトに結露した水分が感光材料シート上の処理液に滴下することがなくなり、その結果、処理液に水分が滴下することによる感光材料シートから得られる画像の画質の低下が防止される。
【発明を実施するための最良の形態】
【００１７】
以下、説明される感光材料処理装置は、長尺状の感光材料シートを規定の搬送経路に沿って搬送し、搬送中の感光材料シートに現像などの処理を施すことを主に行う装置である。
【００１８】
図１は、本発明に係る感光材料処理装置の一実施形態の構成を概略的に示したものである。感光材料処理装置１０は、概略、暗室空間１２に配置された、規定の搬送経路１４を搬送されている長尺状の感光材料シート１６の画像形成領域を有する面（以下、「表面」と称する。）１８に複数の処理液２０−１〜２０−３を塗布して現像などの処理を行う処理部２２と、処理された感光材料シート１６から画像データを取得する画像読み取り部２４と、感光材料シート１６を規定の搬送路１４上で支持しつつ搬送する搬送部２６とから構成される。長尺状の感光材料シート１６は、例えば、パーフォレーション２８を有する写真フィルムである（領域Ａを感光材料シート１６の表面１８側から見た図２参照。）。以下、感光材料シート１６の具体例である写真フィルムを用いて、感光材料処理装置１０を説明する。
【００１９】
処理部２２の具体的な構成について説明する前に、処理部２２で写真フィルム１６に行われる処理内容について説明する。処理部２２で行われる処理には、現像処理、漂白処理、定着処理の少なくとも１つが含まれ、少なくとも現像処理が含まれる。これらの処理は、これらの処理の化学的反応を生じさせる処理液２０−１〜２０−３（化学的反応を生じさせる液体）を、写真フィルム１６の表面１８の画像形成領域４０（画像形成領域４０を含む幅方向中央部４２）に塗布することで行われる（図２参照。）。なお、漂白処理と定着処理は、同時に行われることがあり、その場合、漂白定着処理または脱銀処理と言われる。以下、これらの処理について簡単に説明する。
【００２０】
現像処理を行う前の写真フィルム１６（ここでは、銀を触媒として色素を発色させるネガカラー式の写真フィルムを言う。）、すなわち、画像形成領域４０に露光潜像が形成されている写真フィルム１６において、露光部分の乳剤層にはハロゲン化銀が変質した金属銀が含まれ、未露光部分の乳剤層にはハロゲン化銀が含まれている。現像処理が行われると、未露光部分の色素は発色せずに、露光部分の色素が発色する。
【００２１】
漂白処理と定着処理、または脱銀処理（漂白処理と定着処理とを同時に行う処理）が行われると、現像処理された写真フィルム１６から金属銀とハロゲン化銀が取り除かれる。
【００２２】
現像処理を除く他の処理は、必ずしも必要ではない。例えば、後述の画像読み取り部２４が、透過式であって高精度に画像を読み取れる場合、言い換えると、高出力の走査レーザ装置と高感度の撮像素子とを有するスキャナである場合、走査レーザ装置が出力したレーザ光の写真フィルムの透過を妨害するハロゲン化銀や金属銀を除去する必要がなくなるため、漂白処理と定着処理は省略される。また、これらの処理は、ハロゲン化銀や金属銀が存在することによって生じたレーザ光の写真フィルム透過不足（撮像素子に到達したレーザ光の強度不足）による画像への悪影響を除去するように、写真フィルムから得られた画像を画像処理装置によって補正する場合も省略される。
【００２３】
漂白処理と定着処理は、状況に応じて（例えば、写真フィルムから得られた画像データを画像処理装置によって補正する場合）、漂白液と定着液それぞれを写真フィルムに塗布する処理液塗布装置（後述の処理液塗布ユニット）の使用を中断することによって省略されても良い。
【００２４】
以下、処理部２２で行われる複数の処理を、処理内容で区別することなく示す。
【００２５】
処理部２２は、複数の処理をそれぞれ行うために、複数の処理液２０−１〜２０−３（例えば、現像液や定着液など）をそれぞれ塗布する複数の処理液塗布ユニット（部分的に図示せず）５０−１〜５０−３を有する。なお、図中、処理液塗布ユニットは、３台示されているがこれに限定される訳ではなく、少なくとも現像液を塗布するために１台以上あればよい。また、複数の処理液ユニットはそれぞれ、必ずしも異なる処理液を塗布するわけでなく、例えば、上流側の処理液塗布ユニットが写真フィルムの表面に塗布した処理液を補充するために、下流側のユニットで同一の処理液を塗布しても良い。
【００２６】
複数の処理液塗布ユニット５０−１〜５０−３は、写真フィルム１６の表面１８にそれぞれの処理液２０−１〜２０−３を塗布するノズル５２−１〜５２−３、処理液を貯蔵している処理液貯蔵タンク（図示せず）、処理液貯蔵タンクからノズル５２−１〜５２−３に処理液２０−１〜２０−３を案内するための配管５４−１〜５４−３、処理液貯蔵タンクからノズル５２−１〜５２−３に処理液２０−１〜２０−３を送出するポンプ（図示せず）とを有する。複数の処理液塗布ユニット５０−１〜５０−３それぞれは、搬送経路１４に従って搬送されている写真フィルム１６の表面１８の幅方向中央部４２に、規定量の処理液２０−１〜２０−３を塗布する。
【００２７】
画像読み取り部２４は、処理部２２で処理された写真フィルム１６の画像形成領域４０に形成された現像画像から透過式のスキャナ６０によって画像データを読み取る。透過式スキャナ６０は、写真フィルム１６幅方向に走査されるレーザ光６２を出力する走査レーザ装置６４と、走査レーザ装置６４と写真フィルム１６を介して対向配置されている、写真フィルム１６を透過したレーザ光６２の強度を検出するＣＣＤなどの撮像素子６６と、撮像素子６６から画像データを取得する画像データ取得部６８とを有する。画像データ取得部６８が取得した画像データは、例えば、画像データ取得部６８と接続されている、感光材料処理装置１０の外部に配置されているＰＣ（パーソナルコンピュータ）に送られる。
【００２８】
搬送部２６は、処理部２２において写真フィルム１６を規定の搬送経路１４で支持する複数の処理部内支持機構７０を有する。図２は、図１のＡ領域に存在する処理部内支持機構７０を示す図であり、図３は、図２においてＢ−Ｂ方向から見た処理部内支持機構７０の断面図である。また、処理部内支持機構７０以外に、図３には、処理液２０−１が塗布された写真フィルム１６を加熱するヒータ７６が示されている。
【００２９】
処理部内支持機構７０は、写真フィルム１６の表面１８の２つの幅方向端部の一方７８Ｌ（以下、「幅方向端部７８Ｌ」と称する。）に外周端を介して接触し、幅方向端部７８Ｌの表面近傍にある一端８０Ｌと写真フィルム１６から離れた位置にある他端８２Ｌとを有する表面側シャフト（第１のシャフト）８４Ｌに取り付けられている、表面側シャフト８４Ｌの中心線８６Ｌを中心として回転する表面側ローラ（第１のローラ）８８Ｌを有する。また、処理部内支持機構７０は、写真フィルム１６の表面１８の２つの幅方向端部の他方７８Ｒ（以下、「幅方向端部７８Ｒ」と称する。）に外周端を介して接触し、幅方向端部７８Ｒの表面近傍にある一端８０Ｒと写真フィルム１６から離れた位置にある他端８２Ｌとを有する表面側シャフト（第２のシャフト）８４Ｒに取り付けられている、表面側シャフト８４Ｒの中心線８６Ｒを中心として回転する表面側ローラ（第２のローラ）８８Ｒを有する。
【００３０】
処理部内支持機構７０はまた、表面側ローラ８８Ｌ，８８Ｒと協働して写真フィルム１６を挟持する部材として、写真フィルム１６の裏面（表面１８と対向する面）の２つの幅方向両端部に外周端を介して接触し、裏面側シャフト（第３のシャフト）９２に取り付けられている、裏面側シャフト９２の中心線９４を中心として回転する２つの裏面側ローラ（第３のローラ）９６Ｌ、９６Ｒとを有する。
【００３１】
表面側ローラ８８Ｌ，８８Ｒは、ベアリング９８Ｌ，９８Ｒによって、表面側シャフト８４Ｌ，８４Ｒの一端８０Ｌ、８０Ｒに回転可能に取り付けられている。また、表面側ローラ８８Ｌ，８８Ｒは、略円盤形状の樹脂や金属などからなる本体部１００Ｌ，１００Ｒそれぞれの外周端にゴムなどの輪状弾性体１０２Ｌ，１０２Ｒが巻かれて構成される。輪状弾性体１０２Ｌ，１０２Ｒの断面形状は略円形であり、写真フィルム１６と、点で接触する。なお、これに限らず、写真フィルム１６と点接触することが可能であれば、すなわち、幅方向７２に湾曲した曲面を有し、写真フィルム１６と点接触するのであれば、表面側ローラ８８Ｌ，８８Ｒの外周端（輪状弾性体を有する場合は、その断面形状）はどのような形状でもかまわない。これにより、表面側ローラ８８Ｌ，８８Ｒと写真フィルム１６との摩擦を小さくすることができる。
【００３２】
表面側シャフト８４Ｌ，８４Ｒは、他端８２Ｌ，８２Ｒに支点孔１０４Ｌ，１０４Ｒを有し、支点孔１０４Ｌ，１０４Ｒに挿通された支点シャフト１０６Ｌ，１０６Ｒによって支持されている（図２参照。）。また、表面側シャフト８４Ｌ，８４Ｒは、付勢手段であるスプリング１０８Ｌ，１０８Ｒにより，写真フィルム１６に向かって表面側シャフト８４Ｌ，８４Ｒの中央部１１０Ｌ，１１０Ｒが付勢されている。これにより、表面側シャフト８４Ｌ，８４Ｒの一端８０Ｌ，８０Ｒに取り付けられている表面側ローラ８８Ｌ，８８Ｒが、写真フィルム１６の幅方向両端部７８を２つの裏面側ローラ９６Ｌ、９６Ｒに押し付ける。これにより、処理部内支持機構７０は、種々の厚さの写真フィルムを挟持することができる。
【００３３】
２つの裏面側ローラ９６Ｌ、９６Ｒは、裏面側シャフト９２に固定されている。また、裏面側ローラ９６Ｌ、９６Ｒは、表面側ローラ８８Ｌ、８８Ｒと同様に、略円盤形状の樹脂や金属などからなる本体部１１２Ｌ，１１２Ｒそれぞれの外周端にゴムなどの輪状弾性体１１４Ｌ，１１４Ｒが巻かれて構成される。しかしながら、表面側ローラ８８Ｌ、８８Ｒの輪状弾性体１０２Ｌ、１０２Ｒとは異なり、輪状弾性体１１４Ｌ、１１４Ｒの断面形状は外周端が平坦である。これは、表面側ローラ８８Ｌ，８８Ｒと裏面側ローラ９６Ｌ、９６Ｒの外周端それぞれが幅方向７２に湾曲する曲面であって写真フィルム１６とそれぞれ点接触する場合、それぞれの点接触の写真フィルム１６を介する幅方向７２の位置が異なると、写真フィルム１６がそれぞれの点接触位置で折り曲げられるため、それぞれの点接触の幅方向７２の位置を正確に合わせなければならないという理由による。裏面側ローラ９６Ｌ、９６Ｒの外周端を平坦にすることにより、表面側ローラ８８Ｌ，８８Ｒと裏面側ローラ９６Ｌ、９６Ｒの外周端それぞれと写真フィルム１６との写真フィルム１６を介する接触位置を正確に合わせる必要がなくなる。
【００３４】
裏面側シャフト９２は、軸受け（図示せず）によって回転可能に支持されている。また、裏面側シャフト９２は、ベルト１１６を介して回転駆動手段であるモータ１１８に駆動連結されている。これにより、支持機構７０は、写真フィルム１６を挟持しつつ搬送する搬送機構となる。裏面側シャフト９２がベルト１１６を介してモータ１１８によって回転駆動されることにより、裏面側ローラ９６Ｌ、９６Ｒが回転し、表面側ローラ８８Ｌ、８８Ｒと協働して挟持している写真フィルム１６を搬送方向１２０に搬送する（図２参照。）。なお、全ての処理部内支持機構７０の裏面側シャフト９２が、回転駆動手段で回転される必要はない。
【００３５】
また、搬送部２６は、処理部内支持機構以外の支持機構（図示していない支持機構も含む）も有する。処理部内支持機構以外の支持機構は、写真フィルム１６の表面１８と裏面９０両方の幅方向中央部４２に接触することなく、写真フィルム１６の幅方向両端部を挟持して支持するか、または、写真フィルム１６の表面１８または裏面９０の一方の幅方向端部のみと接触して支持する。また、処理部内支持機構以外の支持機構には、上述の処理部内支持機構７０のように、モータなどの回転駆動手段によって回転駆動される支持機構（搬送機構）も含まれる。
【００３６】
ヒータ７６は、写真フィルム１６の裏面９０近傍に、写真フィルム１６に沿って配置されており、写真フィルム１６上の処理液２０−１〜２０−３を、写真フィルム１６の裏面９０側から間接的に加熱する。なお、ヒータ７６は、配置するスペースがあれば、必ずしも写真フィルム１６の裏面９０近傍に配置することはない。
【００３７】
なお、図２や図３に示される感光材料処理装置１０の構成要素以外の構成要素、例えば、裏面側シャフト９２を支持する軸受けを有するブラケットや表面側ローラ８８Ｌ、８８Ｒの表面側シャフト８４Ｌ、８４Ｒからの脱離を防止する抜け止めなどは、図面が過度に複雑にならないように省略されている。
【００３８】
加えて、図１に示すように、感光材料処理装置１０は、写真フィルム１６を巻回して収容するフィルムカートリッジ１３０を保持するカートリッジ保持部１３２と、フィルムカートリッジ１３０から写真フィルム１６を切り離す切断機構１３４と、画像読み取り部２４で画像データが取得された後の写真フィルム１６を収容する写真フィルム収容部１３６とを有する。
【００３９】
このような構成によれば、フィルムカートリッジ１３０に巻回収容された写真フィルム１６は、カートリッジ保持部１３２に固定されたフィルムカートリッジ１３０から引き出され、切断機構１３４によってカートリッジ１３０から切り離される。カートリッジ１３０から切り離された写真フィルム１６は、搬送部の支持機構と搬送機構（回転駆動手段によって回転駆動される支持機構）によって搬送経路１４に沿って処理部２２に搬送される。処理部２２において、写真フィルム１６は処理部内支持機構７０に支持されつつ搬送されながら、その表面１８の画像形成領域４０に複数の処理液２０−１〜２０−３が塗布される。このとき、複数の処理液２０−１〜２０−３に含まれる水分が、ヒータ７６の加熱によって蒸発する。しかしながら、写真フィルム１６の表面１８上方近傍に結露を発生させる構成要素が存在しないため、その結露した水分が写真フィルム１６の表面１８に滴下することがない。処理部２２で処理された写真フィルム１６は、画像読み取り部２４で画像データを取得される。取得された画像データは、写真フィルム１６の表面１８上の処理液２０−１〜２０−３に含まれていて蒸発して結露した水分の写真フィルム１６の表面１８の処理液２０への滴下による影響がない良好な画質を有する。画像データが取得された写真フィルム１６は、写真フィルム収容部１３６に収容される。
【００４０】
上述した以外の実施形態、本実施形態の変形例の支持機構でも同様に、結露の影響による感光材料シートから得られる画像の画質の低下を防止することが可能であり、このような変形例が当業者に容易に創作できるのは明らかである。
【００４１】
例えば、図４の断面図に示すような変形された感光材料処理装置の支持機構２１０において、感光材料シート２１２の幅方向２１４に平坦な外周端を有するローラ２１６Ｌが、壁面２１８に存在する孔２２０にベアリング２２２によって孔中心線２２４を中心として回転可能に取り付けられている表面側シャフト２２６Ｌに固定されている。また、表面側ローラ２１６Ｒが、上述の表面側シャフト８４Ｒとは感光材料シート２１２（写真フィルム１６）に対して異なる方向に伸びる表面側シャフト２２６Ｒの中心線２２８を中心として回転可能に取り付けられている。さらに、表面側ローラ２１６Ｌ、２１６Ｒと協働して感光材料シート２１２を挟持する部材が、感光材料シートの裏面両端と接触するレール状構造体２３０である。
【００４２】
図４に示す中心線２２４と中心線２２８のように、感光材料シートを挟持する２つの表面側ローラの回転中心となる２つ中心線は、同一直線上になくても良く、図３に示すような感光材料シート表面と略平行に配置された中心線８６Ｌ，８６Ｒのように、感光材料シートの表面と平行でなくてもよい。また、これらの中心線は、感光材料シートの幅方向と同方向に伸びているのが好ましいが、表面側ローラが搬送中の感光材料シートと接触して回転可能であれば幅方向と同方向に伸びていなくても良い。
【００４３】
また、図４示すように、表面側ローラと協働して感光材料シートを挟持する部材は、表面側ローラのように回転しない部材であっても良い。少なくとも、協働して挟持する表面側ローラと感光材料シートを介して対向する位置に、感光材料シートと接触する部材があればよい。
【００４４】
上述のような変形例であっても、結露の影響による感光材料シートから得られる画像の画質の低下を防止することが可能であり、本発明はこのような変形例も包含している。
【図面の簡単な説明】
【００４５】
【図１】本発明に係る感光材料処理装置の構成を概略的に示す図である。
【図２】図１のＡ領域を感光材料シート表面上方から見た図である。
【図３】図２のＢ−Ｂ方向断面図である。
【図４】支持機構の変形例の断面図である。
【図５】従来の支持機構の断面図である。
【符号の説明】
【００４６】
１０：感光材料処理装置
１６：感光材料シート
１８：表面
２０：処理液
４０：画像形成領域
７０：処理部内支持機構
７２：幅方向
７６：ヒータ
７８Ｌ，７８Ｒ：幅方向端部
８０Ｌ、８０Ｒ：一端
８２Ｌ、８２Ｒ：他端
８４Ｌ：表面側シャフト（第１のシャフト）
８４Ｒ：表面側シャフト（第２のシャフト）
８６Ｌ、８６Ｒ：中心線
８８Ｌ：表面側ローラ（第１のローラ）
８８Ｒ：表面側ローラ（第２のローラ）
９０：裏面
【図１】
2006071719.tif 000003
【図２】
2006071719.tif 000004
【図３】
2006071719.tif 000005
【図４】
2006071719.tif 000006
【図５】
2006071719.tif 000007